(57)【要約】      （修正有）【課題】中心軸に括れ部を有する半円弧状の凸管体を垂設させた凹凸ローラーのみからなる安価なもので、足裏や患部に当てて、自分で器具を転がすようにしたツイングリップ付き回転マッサージ具とその製造方法を提供する。【解決手段】直管の外表面に樹脂をコーティングし円弧状表面にくぼみ３を有する凹凸ローラー４を複数嵌合し、前記直管の両端の内表面に円板８を嵌合して固定し、前記直管より細い第１内管を前記円板８の中心を貫通させ前記直管内に挿通させて、第１内管の一端内表面に円板８に外接して突起を有する制止部材１２を嵌合し、第１内管の他端側には円板８を介してベアリングシートを挟んで第１グリップ１０を嵌合し、制止部材１２の突起に第２内管を有する第２グリップ１４を着脱自在に嵌合してなる構成とする。【選択図】図１
2013230184.tif 000002
【特許請求の範囲】
【請求項１】
直管の外表面に樹脂をコーティングし円弧状表面にくぼみを有する凹凸ローラーを複数嵌合し、前記直管の両端の内表面に円板を嵌合して固定し、前記直管より細い第１内管を前記円板の中心を貫通させ前記直管内に挿通させて、前記第１内管の一端内表面に前記円板に外接して突起を有する制止部材を嵌合して固定し、前記第１内管の他端側には前記円板を介してベアリングシートを挟んでグリップを嵌合し、前記制止部材の突起に第２内管を有するグリップを着脱自在に嵌合してなることを特徴とするツイングリップ付き回転マッサージ具。
【請求項２】
直管の外表面に樹脂をコーティングし円弧状表面にくぼみを有する凹凸ローラーを複数嵌合し、前記直管の両端からプレス加工することにより前記凹凸ローラーが直管にカシメて固定され、前記直管の両端内表面に円板を嵌合して固定し、前記直管より細い第１内管を前記円板の中心を貫通させ前記直管内に挿通させて、前記第１内管の一端内表面に前記円板に外接して突起を有する制止部材を嵌合して固定し、前記第１内管の他端側には前記円板を介してベアリングシートを挟んでグリップを嵌合し、前記制止部材の突起に第２内管を有するグリップを着脱自在に嵌合してなることを特徴とするツイングリップ付き回転マッサージ具。
【請求項３】
前記凹凸ローラーのくぼみは、直管の長手方向に凹部と凸部が同一線上に配置され固定されている請求項１又は請求項２記載のツイングリップ付き回転マッサージ具。
【請求項４】
前記凹凸ローラーのくぼみは、直管の長手方向に凹部と凸部が互い違いに配置され固定されている請求項１又は請求項２記載のツイングリップ付き回転マッサージ具。
【請求項５】
金属バットの製造設備とアルミニウム合金を利用し、径が異なる２本の直管と内管はアルミニウム合金のパイプ素材を使用し、円弧状表面にくぼみを有する凹凸ローラーは、バットのグリップエンド部の素材を使用し、前記円弧状表面を有するローラーに凸片を押し当ててプレス加工してくぼみを形成する工程と、その後、前記くぼみを有する凹凸ローラー表面を樹脂コーティングする工程と、前記直管に円弧状表面を有する凹凸ローラーを複数嵌合する工程と、前記直管を両端からカシメて凹凸ローラーを前記直管に固定する工程と、前記直管の両端内表面に円板を嵌合して固定する工程と、前記直管より細い第１内管を前記円板の中心を貫通させ前記直管内に挿通させる工程と、前記第１内管の一端内表面に前記円板に外接して突起を有する制止部材を嵌合して固定する工程と、前記第１内管の他端側には前記円板を介してベアリングシートを挟んでグリップを嵌合する工程と、前記制止部材の突起に第２内管を有するグリップを着脱自在に嵌合する工程とからなることを特徴とするツイングリップ付き回転マッサージ具の製造方法。
【発明の詳細な説明】
【技術分野】
【０００１】
本発明はツイングリップ付き回転マッサージ具とその製造方法に係り、更に詳しくは、表面にくぼみを有する凹凸ローラーを患部に当てて、両手又は片手でグリップを握り、器具を転がすことにより、マッサージを行なうようにしたツイングリップ付き回転マッサージ具とその製造方法に関するものである。
【背景技術】
【０００２】
現在のマッサージ器具は、大型で高価なものが多く、そのために普及が遅れている。
【０００３】
回転ローラーによる足裏マッサージ具の先行技術は、いくつか紹介されている（例えば、特許文献１、特許文献２）。
【特許文献１】実開昭６１−１７１９２４号公報
【特許文献２】実登第３０５００９０号公報
【０００４】
特許文献１は、凸状やイボ状の突起のある回転ローラーを、基盤台上に配置したものである。特許文献２は、円筒表面に多数の半球状突起を設けたローラーを、ケ−シング上に配置したものである。
【０００５】
しかし、特許文献１と特許文献２は、基盤台やケ−シング上に配置されたもので、回転ローラー自体を使用者が回転させてマッサージをするものではない。
【発明の開示】
【発明が解決しようとする課題】
【０００６】
上記の事情に鑑み、本発明は、直管の外表面に樹脂をコーティングした円弧状表面にくぼみを有する凹凸ローラーを主体とするもので、患部に当てて、両手又は片手でグリップを握り、器具を転がすようにしたツイングリップ付き回転マッサージ具とその製造方法を課題とするものである。
【課題を解決するための手段】
【０００７】
本発明は上記目的を達成するために、直管の外表面に樹脂をコーティングし円弧状表面にくぼみを有する凹凸ローラーを複数嵌合し、前記直管の両端の内表面に円板を嵌合して固定し、前記直管より細い第１内管を前記円板の中心を貫通させ前記直管内に挿通させて、前記第１内管の一端内表面に前記円板に外接して突起を有する制止部材を嵌合して固定し、前記第１内管の他端側には前記円板を介してベアリングシートを挟んでグリップを嵌合し、前記制止部材の突起に第２内管を有するグリップを着脱自在に嵌合してなることを特徴とするツイングリップ付き回転マッサージ具を構成するものである。
【０００８】
また、直管の外表面に樹脂をコーティングし円弧状表面にくぼみを有する凹凸ローラーを複数嵌合し、前記直管の両端からプレス加工することにより前記凹凸ローラーが直管にカシメて固定され、前記直管の両端内表面に円板を嵌合して固定し、前記直管より細い第１内管を前記円板の中心を貫通させ前記直管内に挿通させて、前記第１内管の一端内表面に前記円板に外接して突起を有する制止部材を嵌合して固定し、前記第１内管の他端側には前記円板を介してベアリングシートを挟んでグリップを嵌合し、前記制止部材の突起に第２内管を有するグリップを着脱自在に嵌合してなることを特徴とするツイングリップ付き回転マッサージ具を構成するものである。
【０００９】
前記凹凸ローラーのくぼみは、直管の長手方向に凹部と凸部が同一線上に配置され固定されている。
【００１０】
前記凹凸ローラーのくぼみは、直管の長手方向に凹部と凸部が互い違いに配置され固定されている。
【００１１】
更に、本発明は上記目的を達成するために、金属バットの製造設備とアルミニウム合金を利用し、径が異なる２本の直管と内管はアルミニウム合金のパイプ素材を使用し、円弧状表面にくぼみを有する凹凸ローラーは、バットのグリップエンド部の素材を使用し、前記円弧状表面を有するローラーに凸片を押し当ててプレス加工してくぼみを形成する工程と、その後、前記くぼみを有する凹凸ローラー表面を樹脂コーティングする工程と、前記直管に円弧状表面を有する凹凸ローラーを複数嵌合する工程と、前記直管を両端からカシメて凹凸ローラーを前記直管に固定する工程と、前記直管の両端内表面に円板を嵌合して固定する工程と、前記直管より細い第１内管を前記円板の中心を貫通させ前記直管内に挿通させる工程と、前記第１内管の一端内表面に前記円板に外接して突起を有する制止部材を嵌合して固定する工程と、前記第１内管の他端側には前記円板を介してベアリングシートを挟んでグリップを嵌合する工程と、前記制止部材の突起に第２内管を有するグリップを着脱自在に嵌合する工程とからなることを特徴とするツイングリップ付き回転マッサージ具の製造方法を構成するものである。
【発明の効果】
【００１２】
本発明のツイングリップ付き回転マッサージ具を患部に当てて、グリップを両手で握って転がすと、脹脛や太腿などの部位にローラーをかける際に、両手で押さえることが容易にでき効率よくマッサージ効果を伝達することができる。
【００１３】
本発明のツイングリップ付き回転マッサージ具は、片側のみグリップの脱着が容易にできるようになっており、グリップをはずすと従来のグリップ付き回転マッサージ具と同様に片側のグリップだけを把持してマッサージを行うことができる。
【００１４】
本発明のツイングリップ付き回転マッサージ具は、ローラーの表面に凹凸のくぼみを有しており、前記、ローラーは制止板とベアリングシートを挟んで直管に嵌合され、更に制止板とベアリングシートとグリップのわずかなクリアランスによってローラーはスムーズに回転することができる。
【００１５】
本発明のツイングリップ付き回転マッサージ具は、片側のグリップを取り外したマッサージ具の先端部は、先端部にRを持たせた突起状の形状を有するから、ツボ押しに適している。
【発明を実施するための最良の形態】
【００１６】
次に本発明のツイングリップ付き回転マッサージ具につき実施例をあげて詳しく説明する。
【００１７】
図１は、本発明の実施例１を示すツイングリップ付き回転マッサージ具１の斜視図、図２は、図１のＡ−Ａ‘断面図である。さらに図３は、他の実施例２を示すツイングリップ付き回転マッサージ具１の斜視図、図４は、図３のＢ−Ｂ‘断面図である。
【００１８】
本実施例のツイングリップ付き回転マッサージ具本体１は、直径が約３ｃｍで長さが約１１ｃｍのアルミ合金製の直管２の外周に、表面にくぼみ３を有する凹凸ローラー４を５個嵌合し、直管２の両端から凹凸ローラー４を挟んでプレス加工することにより凹凸ローラー４が直管２にカシメて固定される。直管２の両端内表面に円板８を嵌合して固定し、直管２より細い第１内管９を円板８の中心を貫通させ、直管２内に挿通させる。第１内管９は、直径が約２ｃｍであり、長さが約２３ｃｍである。第１内管９の一端内表面に円板８に外接して突起１１を有する制止部材１２を嵌合して固定し、第１内管９の他端側には円板８を介してベアリングシート７を挟んで第１グリップ１０を嵌合し、制止部材１２の突起１１に第２内管１３を有する第２グリップ１４を着脱自在に嵌合してなる。
なお、直管２の外周に、表面にくぼみ３を有する凹凸ローラー４を嵌合し、直管２の両端から凹凸ローラー４を挟んでプレス加工しない場合は、凹凸ローラー４が直管２の廻りを回転されるようにしてもよい。
【００１９】
第１グリップ１０とベアリングシート７との間、ベアリングシート７と図２中右側の円板８との間、図２中左側の円板８と制止部材１１との間には図２中Ｚ軸方向にわずかなクリアランスがあり、ローラー４がスムーズに回転するようになっている。
【００２０】
ベアリングシート７の材質は、自己潤滑性のある樹脂であればいずれの樹脂でもよい。例えば、ポリテトラフルオロエチレン樹脂、ナイロン６樹脂、ナイロン６６樹脂、ポリアセタール樹脂等のものが採用される。ベアリングシート７の厚みは２ｍｍ程度であるが、１ないし３ｍｍであってもよい。
第１グリップ１０とベアリングシート７との間、ベアリングシート７と図２中右側の円板８との間、図２中左側の円板８と制止部材１１との間には図２中Ｚ軸方向に設けたクリアランスは、約０．５ｍｍ程度である。
【００２１】
本実施例の場合には、凹凸ローラー４は、金属製中空球体の軸に対して直角方向に中空球体の両端から一定長さだけ切断した截頭中空球体５からなるものである。その後凹凸ローラー４の表面を樹脂でコーティング６したもので、図６のように１円周に５個のくぼみ３をプレス加工している。
なお、凹凸ローラー４は、全体を合成樹脂で直管２に一体成形してもよい。
【００２２】
図５に示すように、ツイングリップ付き回転マッサージ具は、片側のみグリップをはずすと、回転マッサージ具を患部の肩ｋに乗せて、グリップ１０を手ｈで持って軽く転がすと、凹凸ローラー４は、円板８が滑り軸受けとなって直管２とともにスムーズに回転するので、肩ｋの表面は刺激され、心地よいマッサージの効果がえられる。
【００２３】
本発明のツイングリップ付き回転マッサージ具のグリップを両手で握って転がすと、脹脛や太腿などの部位にローラーをかける際に、両手で押さえることができ、効率よくマッサージ効果を伝達することができる。
【００２４】
図１に示すように、凹凸ローラー４のくぼみ３は、直管２の長手方向に対して凹部と凸部が同一線上に配置されたタイプの回転マッサージ具である。これは、凹凸ローラー４を身体にフィットさせて転がすと、くぼみ３が同一線上に並んでいるので、凹凸の緩急がより強く感じられる効果がある。
【００２５】
図３に示すように、凹凸ローラー４のくぼみ３は、直管２の長手方向に対して凹部と凸部が互い違いに配置された実施例２のタイプの回転マッサージ具である。これは、凹凸ローラー４を身体にフィットさせて転がすと、くぼみ３が互い違いに並んでいるので、凹凸の緩急がより緩やかに感じられる効果がある。
【産業上の利用可能性】
【００２６】
本発明のツイングリップ付き回転マッサージ具は、介護スポ−ツ用品としての需要とともに、ギフト用品等としての展開も期待できる。
【図面の簡単な説明】
【００２７】
【図１】本発明の実施例１を示すグリップ付き回転マッサージ具の回転マッサージ具の斜視図である。
【図２】図１のＡ−Ａ‘断面図である。
【図３】本発明の実施例２を示すツイングリップ付き回転マッサージ具の回転マッサージ具の斜視図である。
【図４】図２のＢ−Ｂ‘断面図である。
【図５】本発明のツイングリップ付き回転マッサージ具の片側のグリップをはずして肩の患部に当ててマッサージする状態を示した説明図である。
【図６】円弧状表面を有する中空体からなる、本発明のグリップ付き回転マッサージ具の凹凸ローラーの説明図で、（イ）は平面図、（ロ）は（イ）のＣ−Ｃ´断面図である。
【符号の説明】
【００２８】
１        グリップ付き回転マッサージ具
２        直管
３        くぼみ
４        凹凸ローラー
５        截頭中空球体
６        樹脂コーティング
７        ベアリングシート
８        円板
９        第１内管
１０      第１グリップ
１１     突起
１２     制止部材
１３     第２内管１３
１４     第２グリップ
ｋ        肩
ｈ        手
【図１】
2013230184.tif 000003
【図２】
2013230184.tif 000004
【図３】
2013230184.tif 000005
【図４】
2013230184.tif 000006
【図５】
2013230184.tif 000007
【図６】
2013230184.tif 000008